(57)【要約】      （修正有）【課題】爪先と同様な作業が可能で、サックが外れそうになることを、指を伸ばすことによって、再度奥まで装着できる機能性指先サックを提供する。【解決手段】親指と人差し指の一対の指サック２、１を、２つの指を伸ばした状態より短い伸縮性のある材質３でつないで、指を伸ばすことにより指サックと指先の密着度を高めることができるようにするとともに、各指サックの先端の腹の部分を平坦とし、また、各指サック先端に指爪の機能を果たす硬質部を設けた。【選択図】図１
2014018208.tif 000002
【特許請求の範囲】
【請求項１】
親指と人差し指用の一対の指サックで、2つのサックが特にゴムなどでつながっており、つなげている部分の長さが指より短い構造のため、指を伸ばすことにより、指サックと指先の密着度を高めることができる連結指サック。
【請求項２】
親指と人差し指用の一対の指サックで、2つのサックが特にゴムなどでつながっており、つなげている部分の長さが指より短い構造のため、指を伸ばすことにより、指サックと指先の密着度を高めることができ、指サック先端部の形状が図2のようになっており、当該突端部が爪より強度がたかい連結指サック。
【請求項３】
親指と人差し指用の一対の指サックで、2つのサックが特にゴムなどでつながっており、つなげている部分の長さが指より短い構造のため、指を伸ばすことにより、指サックと指先の密着度を高めることができ、指サック先端部の形状が図10のようになっており、当該突端部が爪より強度がたかい連結指サック。
【請求項４】
親指と人差し指用の一対の指サックで、2つのサックが特にゴムなどでつながっており、つなげている部分の長さが指より短い構造のため、指を伸ばすことにより、指サックと指先の密着度を高めることができ、親指と人差し指のサックの先端部を合わせることにより、より強い力で作業ができるように、指サック先端の腹の部分が平面となっている連結指サック。
【請求項５】
親指と人差し指用の一対の指サックで、2つのサックが特にゴムなどでつながっており、つなげている部分の長さが指より短い構造のため、指を伸ばすことにより、指サックと指先の密着度を高めることができ、サックの先端に指爪の機能を果たす硬質部を有する連結指サック。
【請求項６】
指先の形状が図2や図10となっている指サックや手袋。
【発明の詳細な説明】
【技術分野】
【０００１】
この発明は、手の爪と同様の機能を果たす硬質の先端部を付けた親指と人差し指の指先サックで、サック同士がゴムなどの連結帯でつながった構造の機能性指先サックに関する。
【背景技術】
【０００２】
従来手の爪は、ものの表面をひっかいて削る、同じくひっかいて汚れを落とす、くっついたものを剥がす、細かい物質をつまむ、ほじくるなど様々な作業を行うことに使われている。
特に、掃除や、皿洗い、調理などでは、指の爪先を使う作業は多いが、長時間或いは強い負荷で爪を使うと、爪を痛めることや、爪と皮膚の間にものがはさまり、苦痛な思いをすることがある。
【０００３】
爪や手の保護のため、指サックや手袋が使われているが、爪先が使えなくなるため、細かい作業や、野菜やお皿などの表面を、爪を使って削る、皮を剥ぐような作業はできなかった。
そのため、指サックや手袋をしている場合、爪の機能を他で代替する必要があった。爪の機能を果たす硬質部を取り付けた手袋や指キャップは発案されているが、草取りなど一部機能に特化したものや、付け疑似爪であって、爪を使った作業である、削る、削ぐ、擦る、ほじる、掻き出す、つまむなどの作業を、爪と同等以上の機能で全て満たす発明や実用新案はなかった。
【先行技術文献】
【特許文献】
【０００４】
【特許文献１】特開2008-255546号公報
【特許文献２】特開2008-19542号公報
【特許文献３】特開2002-13013号公報
【特許文献４】特開平11-113303号公報
【特許文献５】特開平10-168621号公報
【特許文献６】実用新案公開平7-31816号公報
【特許文献７】実用新案公開平7-31815号公報
【特許文献８】実用新案第3138627号公報
【特許文献９】実用新案第3060724号公報
【特許文献１０】実用新案第3045838号公報
【発明の概要】
【発明が解決しようとする課題】
【０００５】
指の爪の機能は、爪先で削る、擦る、削ぐ、剥がす、つまむ、ほじる、掻き出すなどがあるが、指サックや手袋をしてしまうとその機能が阻害されることがあった。
【０００６】
指の爪での作業の場合、例えば親指と人差し指の腹の部分を合わせて、２本の指の力を用いて、片方の爪で何かを剥がすなどの作業を行うことも可能ではあるが、爪の強度が高くないと、荷重に負けて、爪を痛めてしまうことがあった。
【０００７】
従来の発明や実用新案は、草取り用に土の中へ指先を突っ込む、伝票を剥がす、花や芽を摘む、果物や海老の皮むきなどの特定用途か、手袋に手の爪と同じようなものをつけるものであった。手の爪を使った作業である擦って汚れを落とす、削る、削ぐ、擦る、剥がす、ほじる、掻き出す、つまむなどを総合的に行うことのできる機能は有していなかった。
【０００８】
また、従来発明や実用新案の爪のついた手袋や爪を付けるキャップは、複数の指を合わせて使う構造とはなっていなかった。
【０００９】
爪のついた手袋や指キャップでは、作業中に、負荷の重さや方向によって先端部分が指から離れることにより、手袋や指キャップ先端の付け爪に力が入らない事態がしばしば起こった。
【課題を解決するための手段】
【００１０】
親指と人差し指の指サックを、2つの指を伸ばした状態より短い特にゴムなどの伸縮性のある材質でつなぐ。
【００１１】
親指と人差し指のサックは、先端部にそれぞれ爪より多少固い合成樹脂などの材質で、図2のように四角柱と円柱が混ざった形態の先端部をつける。
【００１２】
右手用の連結サックは、図1のように、突端部の右側に丸い部分がくるようにする。
【００１３】
突端部の先端で、少なくとも指の下側（腹側）は、親指側・人差し指側共に、平らな形状とする。
【００１４】
サック先端部の形状は、図2に加え、図9、10、11はより細い場所での指先作業用として適している。図9、10、11の形状の指サックは、左右兼用である。
【００１５】
以上の特徴からなる親指と人差し指用の一対の指サックである。
【発明の効果】
【００１６】
突端部の平らな角（図6（6））や丸みを帯びた部分の角（図6（7））は、清掃や皿洗い、調理前の素材準備の時などで、爪を使っていた機能と同様に、ものの表面についているものをこすって剥がす、汚れを落とすような作業に活用できる。
【００１７】
四角の部分のカド（図6（5））は、小さなくぼみの汚れや、小さなゴミなどをほじる、掻き出すことに使用することができる。
【００１８】
親指、人差し指それぞれ単独で上記の作業を行うことが可能であるが、例えばお皿にこびりついて固くなってしまった食べ物をこそげる時など強い力が必要な際には、図7の洋に、親指と人差し指のサック先端の平面の部分を合わせ、2つの指の力を合わせて、削ぎ落すことができる。
【００１９】
親指と人差し指のサック突端が平面であるため、両平面を合わせることにより、ビーズや魚の小骨などの小さなものもつまむことが可能である。図2の形状のサックであれば、指サックの突端の側面も平面であるため、指の腹以外の面も親指と人差し指を合わせて使うことができる。
【００２０】
サック先端での作業は、サックが緩んでしまう、或いはサックがずれて力が逃げてしまうことがあるが、親指と人差し指を、図8のように大きく開くことによって、サックと指先の密着度をたかめることができる構造となっている。
【００２１】
同様に、作業の途中で、サックが外れてゆくことも想定されるが、2本の指を伸ばすことによって、2つのサックをつないでいるゴム部が引っ張られ、サックを再度奥まで装着することができる。
【００２２】
本発明のサックは、サイズを大きくすれば、手袋の上からの着用も可能となり、上述のような作業が手袋をした状態でも可能となる。
【００２３】
先端部を長く、細くすれば、更に細かい作業も可能な指サックとなる。
【図面の簡単な説明】
【００２４】
【図１】本発明の連結指サックを上面から見た図である。上側のサックが人差し指用で、下側が親指用である。
【図２】本発明の人差し指用のサックを、正面斜め上から見た図である。
【図３】本発明の人差し指用サックを、横斜め上から見た図である。
【図４】本発明の人差し指用の指サックの指を入れる側を、斜め上から見た図である。
【図５】本発明の連結指サックを、指に装着した図である。
【図６】図2と同じ図で、詳細説明用に、符号を追加した図である。
【図７】本発明の連結指サックを装着した図で、人差し指と親指の先端平面部を、合わせている図である。この洋に、2本の指の力を使い作業を行うことや、小さな物体をつまみ上げることができる構造となっている。
【図８】本発明の連結指サックを指に装着した図で、連結部を伸ばしている状態である。この様に連結部を伸ばすことにより、作業中であっても、指サックを奥まではめ込むことができ、指サックと指の密着度を高めることができる。密着度を高めることにより、より微細な作業やサック先端部に更に強い力を加える作業も可能となる。
【図９】図2とは形状の異なる指サックを正面斜め上から見た図である。本形状は、図2の指サックより、狭いところでの作業にも活用することができる。
【図１０】図9の指サックを、横斜め上から見た図である。
【図１１】図9、10の指サックを横から見た図である。
【符号の説明】
【００２５】
1  右手人差し指用サック
2  右手親指用サック
3  人差し指と親指サックの連結部
4  右手
5  3面が合わさる「カド」で、この部分をくぼんだところをほじることや、重箱のスミをつつくなどの作業に使う
6  2面が合わさる角で、この直線部分は、平たい平面を擦るなどの作業に使う
7  2面が合わさる角で、この曲面部分は、なべやフライパンの曲面部をこそげるなどの作業に使う
8  狭いところでも使える指サックの先端部分
【図１】
2014018208.tif 000003
【図２】
2014018208.tif 000004
【図３】
2014018208.tif 000005
【図４】
2014018208.tif 000006
【図５】
2014018208.tif 000007
【図６】
2014018208.tif 000008
【図７】
2014018208.tif 000009
【図８】
2014018208.tif 000010
【図９】
2014018208.tif 000011
【図１０】
2014018208.tif 000012
【図１１】
2014018208.tif 000013